(57)【特許請求の範囲】
【請求項１】
液晶パネルの下部に位置し、一側から提供される光を前記液晶パネル側に屈折させる導光板において、
電源印加時光を提供する光源の一側に配置される板状の導光本体と、
前記導光本体の表面に一定パターンで形成される複数個の四角錘形拡散パターンと、を含み、
前記拡散パターンは、前記導光本体の表面と直交するよう、頂点を通過する垂直線を回転軸として前記光源の中心と前記導光本体の中心とを連結する基準線に対して時計方向或いは時計の逆方向に１０°乃至３５°回転され配置されることを特徴とする導光板。
【請求項２】
前記拡散パターンは、前記基準線を基準として左右対称型で具備されることを特徴とする請求項１に記載の導光板。
【請求項３】
前記拡散パターンは、前記液晶パネルと並ぶ導光本体の外部表面に陰刻で具備されることを特徴とする請求項１に記載の導光板。
【請求項４】
前記拡散パターンは、前記液晶パネルと並ぶ導光本体の外部表面に陽刻で具備されることを特徴とする請求項１に記載の導光板。
【請求項５】
前記基準線と直交するよう多数列で配置される複数個の拡散パターンは、各列に配置される複数個の拡散パターンとこれに隣接する列に配置される他の複数個の拡散パターンが相互交差するよう配置されることを特徴とする請求項１に記載の導光板。
【請求項６】
電源印加時に光を発生させる光源と、
前記光源の一側に配置される導光本体の表面と直交するよう頂点を通過する垂直線を回転軸として前記光源の中心と前記導光本体の中心とを連結する基準線に対して時計方向或いは時計の逆方向に１０°乃至３５°回転され配置される四角錘形拡散パターンを前記導光本体の表面に一定パターンで具備する導光板と、
前記導光板から漏れる光を反射させるよう前記導光板の下部に配置される反射シートと、
前記導光板の上部に配置される液晶パネルと、を含む液晶ディスプレー装置。
【請求項７】
前記導光板と液晶パネルとの間に少なくとも一つの拡散シートをさらに具備することを特徴とする請求項６に記載の液晶ディスプレー装置。
【請求項８】
前記導光板と液晶パネルとの間に少なくとも一つのプリズムシートをさらに具備することを特徴とする請求項６に記載の液晶ディスプレー装置。
【請求項９】
前記拡散パターンは、前記基準線を基準として左右対称型で具備されることを特徴とする請求項６に記載の液晶ディスプレー装置。
【請求項１０】
前記拡散パターンは、前記液晶パネルと並ぶ導光本体の外部表面に陰刻で具備されることを特徴とする請求項６に記載の液晶ディスプレー装置。
【請求項１１】
前記拡散パターンは、前記液晶パネルと並ぶ導光本体の外部表面に陽刻で具備されることを特徴とする請求項６に記載の液晶ディスプレー装置。
【請求項１２】
前記基準線と直交するよう多数列で配置される複数個の拡散パターンは、各列に配置される複数個の拡散パターンとこれに隣接する列に配置される他の複数個の拡散パターンが相互交差するよう配置されることを特徴とする請求項６に記載の液晶ディスプレー装置。
【請求項１３】
前記光源は、前記導光本体の一側に一体型で少なくとも一つ具備されることを特徴とする請求項６に記載の液晶ディスプレー装置。
【請求項１４】
前記光源は、前記導光本体の一側に分離型で少なくとも一つ具備されることを特徴とする請求項６に記載の液晶ディスプレー装置。
【発明の詳細な説明】
【技術分野】
【０００１】
本発明は、導光板及びこれを有する液晶ディスプレー装置に関するものであって、より詳しくは、拡散シート及びプリズムシートの機能を導光板の機能に統合して、導光板から屈折され液晶パネル側へ出射される光に対する正面視野角内での輝度を大幅に向上させ、構成部品数を減らして装置の厚さを減らし、製造原価を低減することが出来る導光板及びこれを有する液晶ディスプレー装置に関する。
【背景技術】
【０００２】
一般的に液晶ディスプレー装置は、ディスプレー自体が能動的に発光できないため、別途の光源が必要となり、このような光源はディスプレー面の背後に位置する場合と、ディスプレー面の側面に位置する場合に区別される。
【０００３】
上記光源が側面に位置すると、全体的な装置の厚さが薄くなり、このような形態は一般的に薄い厚さのディスプレー面が要されるノート型コンピューターや携帯電話などに使用される場合が多い。
【０００４】
図１は、一般的な液晶ディスプレー装置を図示した構成図であって、蛍光ランプや発光ダイオードのような光源１０は、導光板２０の一側に長さ方向に位置され、発光時に発生した光が液晶パネル５０側へ向かう形態で配置される。
【０００５】
上記導光板２０の下部には、液晶パネル５０側へ光を反射させる反射シート２５を具備し、上記導光板２０の上部には、上記反射シート２５に反射され上記導光板２０に屈折されて上記液晶パネル５０側へ出射される光を、様々な方向に拡散させる別途の拡散シート３０をさらに具備する。
【０００６】
そして、上記拡散シート３０と液晶パネル５０との間には、上記拡散シート３０を通過した光を正面視野角内に集める役割をするプリズムシート４１、４２をさらに具備する。
【０００７】
図２は、一般的な液晶ディスプレー装置の各部品を通過した光の輝度分布を図示したグラフであって、導光板２０を通過した光の輝度分布は、点線で図示されるグラフ‘ｄ１’のように表れ、この際、視野角が５０°乃至７０°の部分での輝度が高く表れる反面、視野角が０°の正面での輝度は相対的に大きく低下されることが分かる。
【０００８】
また、拡散シート３０をさらに採用すると、これを通過した光の輝度分布は、一点鎖線で図示されるグラフ‘ｃ１’のように表れ、一側に傾いていた輝度分布が正面視野角側に移動し、拡散シート３０と共にプリズムシート４１、４２をさらに採用すると、これを通過した光の輝度分布は、二点鎖線で図示されるグラフ‘ｂ１’と実線で図示されるグラフ‘ａ１’のように正面視野角側に完全移動し、±３０°の視野角で増加することが分かる。 
【０００９】
従って、一般的な液晶ディスプレー装置では、正面視野角から一側に傾いた輝度分布を示す導光板の欠陥を克服して所望の映像のディスプレーを遂行するために、拡散シート３０及びプリズムシート４１、４２をさらに使用すべきであり、これによって液晶ディスプレー装置の厚さ及び分布が増加する原因となった。
【００１０】
また、液晶ディスプレー装置において、拡散シート３０、プリズムシート４１、４２が占める原価の割合が相対的に高いため、液晶ディスプレー装置の全体の製造原価を上昇させる主原因として作用する。
【００１１】
一方、上記導光板２０から屈折される光の方向性及び集光性を向上させるための一つの方案としては、上記導光板２０の表面に上記光源１０から発生した光の進行方向を液晶パネル側へ均一に屈折させるよう微細なパターンをさらに形成することができ、このような微細なパターンは金属腐食を通じたパターン形成方法やレンズ構造、機械加工を通じた溝形態で具備される。
【００１２】
特許文献１には、パターンが導光板の下面に半球或いは四角錘形態で具備されることが開示されている。
【００１３】
図３は、導光板に拡散パターンを適用した場合の輝度分布を図示したグラフであって、半球形パターンと四角推（ピラミッド）形パターンが適用された導光板２０を通過した光の輝度分布は、点線で図示されるグラフ‘ｄ２’と二点鎖線で図示されるグラフ‘ｂ２’のように表れ、視野角が一側（図面上の右側）に傾くことになる。
【００１４】
一方、半球形パターンが適用された導光板２０と共に拡散シート３０、垂直方向のプリズムシート４１及び水平方向のプリズムシート４２をさらに採用する場合、光の輝度分布は一点鎖線で図示されるグラフ‘ｃ２’のように表れ、四角錘形パターンが適用された導光板２０と共に拡散シート３０、水平方向のプリズムシート４２をさらに採用する場合、光の輝度分布は実線で図示されるグラフ‘ａ２’のように表れ、これをグラフ‘ｃ２’の輝度分布と比べてみると、これと大体類似であることが分かる。
【００１５】
これによって、四角錘形パターンを導光板に適用する場合には、半球形パターンを適用する場合に比べて相対的に少数のプリズムシートを使用して同じ正面視野角内で大体同じ輝度を得ることが出来る。
【００１６】
また、半球形パターンより優れた正面視野角輝度を得ることが出来る四角錘形パターンは、正面視野角内でより高くて均一な輝度分布が得られるよう配置形態が改善されつつあるのが実情である。
【００１７】
図４（ａ）（ｂ）は、一般的な導光板の表面に適用される四角錘形拡散パターンの様々な配置構造を図示した平面図であって、上記導光板２０の表面に四角錘形態を有する拡散パターン２１は、図４（ａ）に図示した通り、光源１０と導光板２０の中心とを連結する基準線Ｏに対して、上記拡散パターン２１の各頂点が連結される連結仮想線Ｔが並んでいる拡散パターン２１の回転がない０°パターン形態で具備されるか、図４（ｂ）に図示した通り、上記基準線Ｏに対して上記連結仮想線Ｔの角度が４５°回転された形態で具備されることが出来る。
【００１８】
図５は、導光板に０°の四角錘形拡散パターン、４５°の四角錘形拡散パターン及び半球形拡散パターンを適用した場合の輝度分布を図示したグラフであって、図示した通り、点線で図示されたグラフ‘ａ３’は、四角錘形の拡散パターンが回転されない０°のパターンとして導光板に適用した場合、これを通過する光の輝度分布を示したもので、実線で図示されたグラフ‘ｂ３’は、四角錘形の拡散パターンが４５°回転された回転パターンとして導光板に適用した場合、これを通過する光の輝度分布を示したもので、一点鎖線で図示されたグラフ‘ｃ３’は、半球形拡散パターンが適用された導光板と共に拡散シート及び垂直、水平方向のプリズムシートがさらに適用された場合、これらを通過した光の輝度分布を示したものである。
【００１９】
これによって、半球形拡散パターンが適用された導光板と拡散シート及びプリズムシートを全て使用した場合と同じ正面輝度を得るためには、四角錘形拡散パターンが適用された導光板でも拡散シート及びプリズムシートをさらに使用すべきであり、これによって全体的な装置の厚さ及び重さが増加し製造原価が上昇するという問題が発生した。
【００２０】
【特許文献１】大韓民国特許公開２００３−１２５６８号（２００３．０２．１２．公開）
【発明の開示】
【発明が解決しようとする課題】
【００２１】
従って、本発明は上記のような従来の問題を解決するためのものであって、その目的は、液晶パネル側へ出射される光に対する正面視野角内での輝度を大幅に向上できる導光板を提供することにある。
【００２２】
本発明の他の目的は、拡散シート及びプリズムシートの機能を導光板の機能に統合して、導光板から屈折されて液晶パネル側に出射される光に対する正面視野角内での輝度を大幅に向上させ、構成部品数を減らして装置の厚さを減らし、製造原価を低減することの出来る液晶ディスプレー装置を提供することにある。
【課題を解決するための手段】
【００２３】
上記の目的を達成すべく、本発明は、液晶パネルの下部に位置し、一側から提供される光を上記液晶パネル側へ屈折させる導光板において、電源印加時に光を提供する光源の一側に配置される板状の導光本体と、上記導光本体の表面に一定パターンで形成される複数個の四角錘形拡散パターンと、を含み、上記拡散パターンは、上記導光本体の表面と直交するよう頂点を通過する垂直線を回転軸として上記光源の中心と上記導光本体の中心とを連結する基準線に対して、時計方向或いは時計の逆方向に１０°乃至３５°回転され配置されることを特徴とする導光板を提供する。
【００２４】
好ましくは、上記拡散パターンは、上記基準線を基準として左右対称型で具備される。
【００２５】
好ましくは、上記拡散パターンは、上記液晶パネルと並ぶ導光本体の外部表面に陰刻で具備される。
【００２６】
好ましくは、上記拡散パターンは、上記液晶パネルと並ぶ導光本体の外部表面に陽刻で具備される。
【００２７】
好ましくは、上記基準線と直交するよう多数列で配置される複数個の拡散パターンは、隣接する列に配置される複数個の拡散パターンと相互交差するよう配置される。
【００２８】
また、本発明は、電源印加時に光を発生させる光源と、上記光源の一側に配置される導光本体の表面と直交するよう頂点を通過する垂直線を回転軸として上記光源の中心と上記導光本体の中心とを連結する基準線に対して、時計方向或いは時計の逆方向に１０°乃至３５°回転され配置される四角錘形拡散パターンを上記導光本体の表面に一定パターンで具備する導光板と、上記導光板から漏れる光を反射させるよう上記導光板の下部に配置される反射シート及び上記導光板の上部に配置される液晶パネルと、を含む液晶ディスプレー装置を提供する。
【００２９】
好ましくは、上記導光板と液晶パネルとの間に少なくとも一つの拡散シートをさらに具備する。
【００３０】
好ましくは、上記導光板と液晶パネルとの間に少なくとも一つのプリズムシートをさらに具備する。
【００３１】
好ましくは、上記拡散パターンは、上記基準線を基準として左右対称型で具備される。
【００３２】
好ましくは、上記拡散パターンは、上記液晶パネルと並ぶ導光本体の外部表面に陰刻で具備される。
【００３３】
好ましくは、上記拡散パターンは、上記液晶パネルと並ぶ導光本体の外部表面に陽刻で具備される。
【００３４】
好ましくは、上記基準線と直交するよう多数列で配置される複数個の拡散パターンは、隣接する列に配置される複数個の拡散パターンと相互交差するよう配置される。
【００３５】
好ましくは、上記光源は、上記導光本体の一側に一体型で少なくとも一つ具備される点光源である。
【００３６】
好ましくは、上記光源は、上記導光本体の一側に分離型で少なくとも一つ具備される点光源である。
【発明の効果】
【００３７】
本発明によると、拡散パターンが基準線に対して時計方向或いは時計の逆方向に１０°乃至３５°回転され導光本体の表面に具備されることにより、各々の拡散パターンから入射される光源の光中、各パターンから反射され側面方向へ進行する光損失を減少させる反面、正面視野角の方向へ進行する光をより一層増加させることが出来るため、拡散シート及びプリズムシートを使用することなく、従来と比べて同等水準或いはそれ以上の輝度を得ることが出来る。
【００３８】
そして、導光板と液晶パネルとの間に拡散シート、プリズムシートを使用することなく、従来と比べて同等水準或いはそれ以上の輝度を得ることが出来るため、装置の厚さ及び体積を減らすことができ、構成部品数及び組立工程を減らして製造原価を低減することが出来るという効果が得られる。
【発明を実施するための最良の形態】
【００３９】
以下、本発明を添付の図面によりさらに詳しく説明する。
図６（ａ）及び（ｂ）は、本発明による導光板の第１実施例を図示した平面図であって、本発明の導光板１００は、液晶パネルの下部に位置され、一側から線光源分布を有する光或いは点光源分布を有する光を受け、上記液晶パネル側へ面光源分布に変更されるよう屈折させるもので、これは導光本体１１０及び拡散パターン１２０を含んで構成される。
【００４０】
上記導光本体１１０は、電源印加時に光を提供する光源１０１の一側に配置され、光を通過させる四角板状の透明素材で構成される。
【００４１】
上記光源としては、電源印加時に線光源分布を有する光を発生させる蛍光ランプ或いは点光源分布を有する光を発生させる発光ダイオードが選択的に採用される。
【００４２】
ここで、上記光源１０１は、上記導光本体１１０の一側に別途の部材として、分離型で具備され光を提供することも出来るが、これに限られず、上記導光本体１１０の一側内部に一体型で具備されて光を提供することも出来る。
【００４３】
また、上記拡散パターン１２０は、上記光源１０１から提供される光や上記導光本体１１０の下面に具備される反射シート１０２へ反射される光を、上記液晶パネル側へ屈折させるよう具備されるものである。
【００４４】
このような拡散パターン１２０は、上記液晶パネルと対応する導光本体１１０の上部表面や反射シートと対応する下部表面に、四角錘形態の陰刻で陥没形成されたり陽刻で突出形成されることが出来る。
【００４５】
一方、上記拡散パターン１２０は、上記導光本体１１０内に入射される光中一部は、反射によって導光本体１１０の内部に反射させたり透過させ、残りの一部は上記液晶パネル側へ屈折させるよう、４つの傾斜面を有する四角錘形状で具備される。
【００４６】
このような拡散パターン１２０は、上記液晶パネル１５０側へ屈折させる光の屈折量を上げることが出来るよう、上記導光本体１１０の表面と直交するよう４つの傾斜面が相互接する頂点を通過する垂直線を回転軸として、上記光源１０１の中心と上記導光本体１１０の中心とを連結する基準線Ｏに対して、時計方向或いは時計の逆方向に１０°乃至３５°回転された状態で配置される。
【００４７】
ここで、上記導光本体１１０の表面に上記垂直線を回転軸として時計方向或いは時計の逆方向に１０°乃至３５°回転された拡散パターン１２０は、導光本体１１０の長さ方向に一定間隔を置いて多数列で配置される。
【００４８】
そして、多数列で配置される拡散パターン１２０は、隣接する列に配置される複数個の拡散パターンと重畳されないよう相互交差して配置されることが好ましい。これによって、上記導光本体１１０の内部に入射された光を液晶パネル側に屈折させる光量を増大させて光輝度を高めることが出来る。
【００４９】
図６（ａ）に図示した通り、上記導光本体１１０に具備される拡散パターン１２０が時計の逆方向に１０°乃至３５°回転された場合、上記導光本体１１０の内部へ入射される光の殆どは、屈折及び内部全反射によって正面視野角方向へ進行し、一部は各拡散パターンの入射面から反射され導光本体１１０の側面方向へ進行する。
【００５０】
また、図６（ｂ）に図示した通り、上記導光本体１１０に具備される拡散パターン１２０が時計方向に１０°乃至 ３５°回転された場合にも、上記と同様に上記導光本体１１０の内部へ入射される光の殆どは、屈折及び内部全反射によって正面視野角方向へ進行し、一部は各拡散パターンの入射面から反射され導光本体１１０の側面方向へ進行する。
【００５１】
図７（ａ）及び（ｂ）は、本発明による導光板の第２実施例を図示した平面図であって、上記導光本体１１０の表面に時計の逆方向或いは時計方向に１０°乃至３５°回転状態で配置される拡散パターン１２０が、上記基準線Ｏを基準として左右対称型に具備される。
【００５２】
即ち、上記拡散パターンのうち時計の逆方向に１０°乃至３５°回転された拡散パターン１２０ａは、図７（ａ）に図示した通り、上記基準線Ｏを基準として図面上の左側に配置され、時計方向に１０°乃至３５°回転された残りの拡散パターン１２０ｂは図面上の右側に配置される。
【００５３】
また、上記とは逆に時計方向に１０°乃至３５°回転された拡散パターン１２０ｂは、図７（ｂ）に図示した通り、上記基準線Ｏを基準として図面上の左側に配置され、時計の逆方向に１０°乃至３５°回転された残りの拡散パターン１２０ａは図面上の右側に配置されることも出来る。
【００５４】
ここで、上記拡散パターン１２０ａ、１２０ｂを、基準線Ｏを基準として左右対称構造で具備した際、上記拡散パターンの回転方向によって導光本体１１０に該当するシリコンウェーハを２枚用いて四角錘形拡散パターンを具備することが出来る。
【００５５】
一方、上記導光本体１１０の表面に拡散パターンを様々な角度に回転させて配置する際、その回転角度によって正面視野角での輝度分布がどう変化するのかを図８に例示した。
【００５６】
図８に図示した通り、半球形パターンが適用された導光板に拡散シート、プリズムシートを全て使用した状態で、これらを通過する光の輝度を測定すると、点線で図示されるグラフで表れ、正面視野角の０°から４５°までの輝度は、大体３３ｃｄと一定に表れる。
【００５７】
反面、四角錘形拡散パターンが適用された導光板のみを使用し、拡散パターン１２０の回転角度を０°から４５°まで変更した状態で、これを通過する光の輝度を測定すると、実線で図示されるグラフで表れ、正面視野角での輝度は、上記拡散パターン１２０が１０°乃至３５°で具備される時、従来と等しいかそれ以上の分布を有することが分かる。
【００５８】
これによって、上記導光本体１１０の表面に具備される拡散パターン１２０は、時計の逆方向或いは時計方向に１０°乃至３５°の回転状態で配置されることが好ましい。
【００５９】
図９は、正面以外の視野角における輝度分布を図示したグラフであって、これは液晶ディスプレー装置で必要とする正面視野角を外れた損失光を図示したものである。
【００６０】
図９において実線で図示されるグラフ‘ａ４’は、光が拡散パターンを通過した後に該当する対光部側の方向から測定した輝度分布で、 二点鎖線で図示されるグラフ‘ｂ４’は、光が拡散パターンを通過する前に該当する入光部側の方向から測定した輝度分布で、一点鎖線で図示されるグラフ‘ｃ４’は、導光板の左側面方向から測定した輝度分布で、点線で図示されるグラフ‘ｄ４’は、導光板の右側面方向から測定した輝度分布である。
【００６１】
これによって、図９に図示されたグラフ‘ａ４乃至ｄ４’をみると、四角錘形拡散パターンの回転角度が０°と４５°の付近では、高い輝度を示して損失光が大きい反面、２２．２５°の付近では相対的に低い輝度を示して損失光が低いことが分かった。
【００６２】
即ち、上記拡散パターン１２０の回転角度が２２．２５°の付近に該当する１０°乃至３５°の時、正面以外の視野角である対光部、入光部及び側面側から損失される光が減るため、図８に図示した通り、正面視野角内での輝度を相対的に増大させることが出来る。
【００６３】
逆に、上記拡散パターン１２０の回転角度が０°そして４５°の場合、正面以外の視野角である対光部、入光部及び側面側から損失される光が多いため、図８に図示した通り、正面視野角内での輝度が減少することになる。
【００６４】
また、上記のように回転された拡散パターン１２０が導光本体１１０の表面に上記基準線Ｏを基準として左右対称構造で具備される場合、各々の拡散パターン１２０に入射される光のうち各パターンから反射され側面方向へ進行する光損失を減少し、このような光が各パターンで屈折及び内部全反射し、正面視野角の方向へ進行する光をより一層増加させることが出来る。
【００６５】
図１０は、様々な形態の拡散パターンを具備する導光板から出射される光の輝度分布を図示したグラフである。
【００６６】
図１０に一点鎖線で図示されるグラフ‘ａ’は、半球形拡散パターンを導光板に適用し、拡散シート及び垂直、水平方向のプリズムシートを全て採用した場合の輝度分布で、二点鎖線で図示されるグラフ‘ｂ’は、０°の四角錘形拡散パターンを導光板に適用し拡散シートと１枚の水平方向プリズムシートを採用した場合の輝度分布で、円形点線で図示されるグラフ‘ｃ’と四角点線で図示されるグラフ‘ｄ’は、２２．２５°に回転された四角錘形拡散パターン１２０を導光板に適用された場合の輝度分布で、点線で図示されるグラフ‘ｅ’と実線で図示されるグラフ‘ｆ’は、２２．２５°に回転された四角錘形拡散パターン１２０ａ、１２０ｂが左右対称構造で適用された場合の輝度分布である。
【００６７】
図１０に図示した通り、本発明で提案する四角錘形拡散パターンを導光本体に１０°乃至３５°回転して配置すると、半球形拡散パターンが適用された導光板と、これに拡散シート、プリズムシートを全て使用した場合（グラフ‘ａ’）及び０°四角錘形拡散パターンの導光板と、これに拡散シート、水平方向のプリズムシートを使用した場合（グラフ‘ｂ’）から得られる正面視野角での輝度と比べて同等水準或いはそれ以上の高い輝度が得られることが分かる。
【００６８】
これによって、導光本体に四角錘形拡散パターンを１０°乃至３５°回転して配置すると、従来のように拡散シートとプリズムシートを使用することなく、従来と同等水準或いはそれ以上の高い輝度を得ることが出来る。
【００６９】
また、図１０に図示した通り、測定される輝度の最大値の１／２に該当する放射角が、半球形拡散パターンを使用した場合に約±２０°で、０°四角錘形拡散パターンを使用した場合に約±３０°である反面、本発明において四角錘形拡散パターンを１０°乃至３５°に回転して配置する場合、±４０°と広く得られることが分かる。
【００７０】
これによって、本発明の導光板から出射される出射光だけで、従来の導光板と共に拡散シート、プリズムシートを使用する場合より、広い視野角でさらに高い輝度を得ることが出来る。
【００７１】
上記のように、導光本体１１０の表面に拡散パターン１２０が基準線Ｏに対して時計方向或いは時計の逆方向に１０°乃至３５°に回転され具備されたり、基準線で中心として回転された拡散パターン１２０ａ、１２０ｂが左右対称構造で具備された導光板１００を液晶ディスプレー装置２００に適用すると、図１１に図示した通り、上記導光板１００の一側に光源１０１が配置され、上記導光板１００の上下部に液晶パネル１５０と反射シート１０２が各々配置される反面、拡散シート、プリズムシートが削除された厚さの薄い液晶ディスプレー装置２００を具現することが出来る。
【００７２】
また、図１２と図１３に図示した通り、上記導光板１００と液晶パネル１５０との間に拡散シート１３０またはプリズムシート１４０が選択的に配置され、光輝度をより一層高めることが出来る他の形態の液晶ディスプレー装置２００ａ、２００ｂも具現することが出来る。
【００７３】
本発明は、特定の実施例に関して図示し説明したが、以下の特許請求の範囲により備えられる本発明の精神や分野を外れない範囲内で本発明が様々に改造及び変化されることが出来るということを、当業界において通常の知識を有している者は容易に分かることを明らかにする。
【図面の簡単な説明】
【００７４】
【図１】一般的な液晶ディスプレー装置を図示した構成図である。
【図２】一般的な液晶ディスプレー装置の各部品を通過した光の輝度分布を図示したグラフである。
【図３】導光板に拡散パターンを適用した場合の輝度分布を図示したグラフである。
【図４】一般的な導光板の表面に適用される四角錘形拡散パターンの様々な配置構造を図示した平面図である。
【図５】導光板に０°の四角錘形拡散パターン、４５°の四角錘形拡散パターン及び半球形拡散パターンを適用した場合の輝度分布を図示したグラフである。
【図６】本発明による導光板の第１実施例を図示した平面図である。
【図７】本発明による導光板の第２実施例を図示した平面図である。
【図８】導光板に具備される拡散パターンの回転角度によって正面視野角における輝度分布を図示したグラフである。
【図９】正面以外の視野角における光輝度分布を図示したグラフである。
【図１０】様々な形態の拡散パターンを具備する導光板から出射される光の輝度分布を図示したグラフである。
【図１１】本発明による導光板を採用した液晶ディスプレー装置を図示した構成図である。
【図１２】本発明による導光板を採用した液晶ディスプレー装置の他の実施例を図示した構成図である。
【図１３】本発明による導光板を採用した液晶ディスプレー装置のまた異なる実施例を図示した構成図である。
【符号の説明】
【００７５】
１０１  光源
１０２  反射シート
１１０  導光本体
１２０、１２０ａ、１２０ｂ  拡散パターン
１５０  液晶パネル
Ｏ  基準線
【図１】
0004649553.tif 000002
【図２】
0004649553.tif 000003
【図３】
0004649553.tif 000004
【図４】
0004649553.tif 000005
【図５】
0004649553.tif 000006
【図６】
0004649553.tif 000007
【図７】
0004649553.tif 000008
【図８】
0004649553.tif 000009
【図９】
0004649553.tif 000010
【図１０】
0004649553.tif 000011
【図１１】
0004649553.tif 000012
【図１２】
0004649553.tif 000013
【図１３】
0004649553.tif 000014